(57)【要約】【課題】駆動時におけるテープリールの傾きを防止し得る情報媒体を提供する。【解決手段】リール本体およびリール本体から両端部が突出するようにリール本体の中心部に配設されたハブをそれぞれ有する一対のテープリール２と、一対の主板でハブの両端部を支持した状態で両テープリールを回転可能に収容するケース本体３と、一対の挿通孔５ａにハブの端部をそれぞれ挿入させた状態でリール本体の両端部を挟み込むようにしてケース本体３内に配設された一対のシート５とを備え、両リール本体における一方の端部側に配設されたシート５と一方の主板との間には、挿通孔が形成されて挿通孔にハブの端部を挿入させた状態でシート５を介して両リール本体の端部を押圧する一対の板状のばね部材６が配設されている。【選択図】図１
2008041221.tif 000002
【特許請求の範囲】
【請求項１】
周囲に磁気テープが巻回される筒状のリール本体および当該リール本体からその両端部が突出するようにして当該リール本体の中心部に配設された筒状のハブをそれぞれ有する一対のテープリールと、互いに対向する一対の主板で前記ハブの両端部を支持した状態で前記両テープリールを回転可能に収容するケース本体と、一対の挿通孔が形成されて当該挿通孔に前記ハブの端部をそれぞれ挿入させた状態で前記リール本体における両端部を挟み込むようにして前記ケース本体内に配設された一対のシート体とを備え、
前記両リール本体における一方の端部側に配設された前記シート体と一方の前記主板との間、および前記両リール本体における他方の端部側に配設された前記シート体と他方の前記主板との間の少なくとも一方には、挿通孔が形成されて当該挿通孔に前記ハブの前記端部を挿入させた状態で前記シート体を介して前記両リール本体の前記端部を押圧する一対の板状の押圧部材が配設されている情報媒体。
【請求項２】
前記押圧部材は、前記リール本体の前記端部における３箇所の部位を前記シート体を介して押圧可能な３つの凸部を有するように湾曲した状態に形成されている請求項１記載の情報媒体。
【請求項３】
周囲に磁気テープが巻回される筒状のリール本体および当該リール本体からその両端部が突出するようにして当該リール本体の中心部に配設された筒状のハブをそれぞれ有する一対のテープリールと、互いに対向する一対の主板で前記ハブの両端部を支持した状態で前記両テープリールを回転可能に収容するケース本体と、一対の挿通孔が形成されて当該挿通孔に前記ハブの端部をそれぞれ挿入させた状態で前記リール本体における両端部を挟み込むようにして前記ケース本体内に配設された一対のシート体とを備え、
前記両リール本体における一方の端部側に配設された前記シート体と一方の前記主板との間、および前記両リール本体における他方の端部側に配設された前記シート体と他方の前記主板との間の少なくとも一方には、一対の挿通孔が形成されて当該各挿通孔に前記ハブの前記各端部を挿入させた状態で前記シート体を介して前記両リール本体の前記端部を押圧する板状の押圧部材が配設されている情報媒体。
【請求項４】
前記押圧部材は、一対の環状体を連結して一体に構成され、当該各環状体は、前記リール本体の前記端部における３箇所の部位を前記シート体を介して押圧可能な３つの凸部を有するように湾曲した状態に形成されている請求項３記載の情報媒体。
【請求項５】
前記押圧部材は、前記テープリールを駆動する駆動軸の挿入側とは逆側に位置する前記主板と前記シート体との間に配設されている請求項１から４のいずれかに記載の情報媒体。
【請求項６】
前記押圧部材は、前記主板に固定されている請求項１から５のいずれかに記載の情報媒体。
【請求項７】
前記押圧部材は、前記シート体に取り付けられている請求項１から５のいずれかに記載の情報媒体。
【発明の詳細な説明】
【技術分野】
【０００１】
本発明は、磁気テープを巻回する一対のテープリールと、両テープリールを回転可能に収容するケース本体とを備えた情報媒体に関するものである。
【背景技術】
【０００２】
この種の情報媒体として、特開２０００−１３７９７１号公報に開示されたテープカートリッジが知られている。このテープカートリッジは、磁気テープを巻装した一対のリールと、上ハーフおよび下ハーフで構成されたシェルと、両リールを挟むようにしてシェル内に配置されたアッパーシートおよびロアシートとを備えている。この場合、リールは、円筒状の内筒部と、内筒部の外周側に連設された外筒部とを備え、内筒部の上端部および下端部が外筒部の上端部および下端部からそれぞれ突出するように構成されて、内筒部の下端部がシェルにおける下ハーフのリール受部に遊嵌されることによってシェル内に回転可能に収容されている。また、リールにおける内筒部の内周面には、記録再生装置の駆動軸（スピンドル）が挿入されたときに駆動軸に係合する凸部が設けられている。
【特許文献１】特開２０００−１３７９７１号公報（第３−５頁、第１、５図）
【発明の開示】
【発明が解決しようとする課題】
【０００３】
ところが、上記のテープカートリッジには、以下の問題点がある。すなわち、上記のテープカートリッジを含むこの種のテープカートリッジは、記録再生装置の駆動軸をリールの内筒部内にスムーズに挿入させるために、内筒部の内周面と駆動軸との間に隙間が生じるように構成されている。また、この種のテープカートリッジは、リールを円滑に回転させるために、シェルと内筒部との間、およびシェルと外筒部の間にも隙間が生じるように構成されている。一方、この種のテープカートリッジ（例えば、図１９に示すテープカートリッジ２０１）用の記録再生装置は、同図に示すように、一般的に、駆動軸１０１の先端部が内筒部の長さの半分程度の位置まで挿入された状態でリールが駆動されるように構成されているものもある。また、この記録再生装置では、図２０に示すように、複数のガイドローラ１０３やガイドピン１０４によって回転ヘッド１０２の外周面に磁気テープＴを接触させてデータの記録再生を行うヘリカルスキャン方式が採用されているため、駆動時において磁気テープＴに対して比較的大きなテンションが加えられる。このため、上記のテープカートリッジを含むこの種のテープカートリッジでは、駆動軸１０１が挿入されていない内筒部の上側の部分に磁気テープＴに加えられるテンションに起因するモーメントが作用して上記の隙間の分だけリールがやや傾くことがある。
【０００４】
近年、記録容量を増大させるためにテープ幅を２倍程度に拡張したテープカートリッジ（例えば、図２１に示すテープカートリッジ２０２）が考案されており、このテープカートリッジを上記した記録再生装置で駆動させたときには、同図に示すように、駆動軸１０１が挿入されていない部分が長くなる。また、テープ幅を拡張したこのテープカートリッジ２０２では、テープ幅の狭いテープカートリッジと比較して、テープ幅が広い分、回転ヘッド１０２に接触させる距離を長くする必要があるため（図１２参照）、磁気テープＴに加えられるテンションも大きくなる。したがって、上記のテープカートリッジを含むこの種のテープカートリッジには、駆動時にリールが大きく傾くおそれがある結果、その状態でリールが回転することによってテープが蛇行したり偏って走行したりして、データの記録再生に支障を来すおそれがあるという問題点が存在する。また、テープが蛇行したり偏って走行したりすることにより、テープのエッジ（幅方向の端部）がアッパーシートやロアシートに強く擦りつけられてテープがダメージを受けるおそれもある。
【０００５】
本発明は、かかる問題点に鑑みてなされたものであり、駆動時におけるテープリールの傾きを防止し得る情報媒体を提供することを主目的とする。
【課題を解決するための手段】
【０００６】
上記目的を達成すべく本発明に係る情報媒体は、周囲に磁気テープが巻回される筒状のリール本体および当該リール本体からその両端部が突出するようにして当該リール本体の中心部に配設された筒状のハブをそれぞれ有する一対のテープリールと、互いに対向する一対の主板で前記ハブの両端部を支持した状態で前記両テープリールを回転可能に収容するケース本体と、一対の挿通孔が形成されて当該挿通孔に前記ハブの端部をそれぞれ挿入させた状態で前記リール本体における両端部を挟み込むようにして前記ケース本体内に配設された一対のシート体とを備え、前記両リール本体における一方の端部側に配設された前記シート体と一方の前記主板との間、および前記両リール本体における他方の端部側に配設された前記シート体と他方の前記主板との間の少なくとも一方には、挿通孔が形成されて当該挿通孔に前記ハブの前記端部を挿入させた状態で前記シート体を介して前記両リール本体の前記端部を押圧する一対の板状の押圧部材が配設されている。
【０００７】
この場合、前記リール本体の前記端部における３箇所の部位を前記シート体を介して押圧可能な３つの凸部を有するように湾曲した状態に前記押圧部材を形成することができる。
【０００８】
また、本発明に係る情報媒体は、周囲に磁気テープが巻回される筒状のリール本体および当該リール本体からその両端部が突出するようにして当該リール本体の中心部に配設された筒状のハブをそれぞれ有する一対のテープリールと、互いに対向する一対の主板で前記ハブの両端部を支持した状態で前記両テープリールを回転可能に収容するケース本体と、一対の挿通孔が形成されて当該挿通孔に前記ハブの端部をそれぞれ挿入させた状態で前記リール本体における両端部を挟み込むようにして前記ケース本体内に配設された一対のシート体とを備え、前記両リール本体における一方の端部側に配設された前記シート体と一方の前記主板との間、および前記両リール本体における他方の端部側に配設された前記シート体と他方の前記主板との間の少なくとも一方には、一対の挿通孔が形成されて当該各挿通孔に前記ハブの前記各端部を挿入させた状態で前記シート体を介して前記両リール本体の前記端部を押圧する板状の押圧部材が配設されている。
【０００９】
この場合、一対の環状体を連結して前記押圧部材を一体に構成し、前記リール本体の前記端部における３箇所の部位を前記シート体を介して押圧可能な３つの凸部を有するように湾曲した状態に前記各環状体を形成することができる。
【００１０】
また、前記テープリールを駆動する駆動軸の挿入側とは逆側に位置する前記主板と前記シート体との間に前記押圧部材を配設する構成を採用することができる。
【００１１】
また、前記押圧部材を前記主板に固定した構成を採用することができる。
【００１２】
また、前記押圧部材を前記シート体に取り付けた構成を採用することもできる。
【発明の効果】
【００１３】
本発明に係る情報媒体によれば、挿通孔が形成されて挿通孔にハブの端部を挿入させた状態でシート体を介して一対のリール本体の端部を押圧する一対の板状の押圧部材をシート体とケース本体の主板との間に配設したことにより、押圧部材によってリール本体の端部を主板に押し付けることができる。このため、ドライブ装置の回転ヘッドに磁気テープを接触させるために磁気テープに対して比較的大きなテンションが加えられてそのテンションに起因してテープリールに対して大きなモーメントが作用したとしても、テープリールが傾く事態を確実に防止することができる。したがって、この情報媒体によれば、テープリールが傾いた状態で回転することによって磁気テープが蛇行したり偏って走行したりして、データの記録再生に支障を来したり、磁気テープのエッジ（幅方向の端部）がシート体に強く擦りつけられて磁気テープがダメージを受ける事態を確実に防止することができる。
【００１４】
また、本発明に係る情報媒体によれば、リール本体の端部における３箇所の部位を押圧可能な３つの凸部を有するように湾曲した状態に押圧部材を形成したことにより、２つ以下または４つ以上の凸部を有する押圧部材とは異なり、３つの凸部の全てがシート体を介して端部を確実に押圧するため、端部を均等に押圧することができる結果、テープリールが傾く事態を一層確実に防止することができる。
【００１５】
また、本発明に係る情報媒体によれば、一対の挿通孔が形成されて各挿通孔に一対のハブの各端部を挿入させた状態でシート体を介して一対のリール本体の端部を押圧する板状の押圧部材をシート体とケース本体の主板との間に配設したことにより、押圧部材によってリール本体の端部を主板に押し付けることができる。このため、磁気テープに対して比較的大きなテンションが加えられてテープリールに対して大きなモーメントが作用したとしても、テープリールが傾く事態を確実に防止することができる。したがって、この情報媒体によれば、テープリールが傾いた状態で回転することによって磁気テープが蛇行したり偏って走行したりして、データの記録再生に支障を来したり、磁気テープのエッジがシート体に強く擦りつけられて磁気テープがダメージを受ける事態を確実に防止することができる。
【００１６】
さらに、本発明に係る情報媒体によれば、一対の環状体を連結して押圧部材を一体に構成したことにより、一回の作業で２つの環状体を固定することができるため、別個独立した２つの環状体を別々に固定する構成と比較して、組立て工程を簡略化できる分、情報媒体の製造効率を十分に向上させることができる。
【００１７】
また、本発明に係る情報媒体によれば、テープリールを駆動する駆動軸の挿入側とは逆側に位置する主板とシート体との間に押圧部材を配設したことにより、リール本体を駆動軸の挿入側に位置する主板側に押し付けることができるため、これとは逆向きにリール本体押し付ける構成と比較して、ハブと駆動軸とが係合する部位の長さを長くすることができる。このため、リール本体に作用するモーメントを少なく抑えることができる。
【００１８】
また、本発明に係る情報媒体によれば、押圧部材を主板に固定したことにより、情報媒体を製造する際に、ケース本体を組み立てることで、正確かつ容易に押圧部材を配設することができるため、情報媒体の製造効率を十分に向上させることができる。また、押圧部材を主板に固定したことで、組立て時の搬送の振動等によってハブの端部から押圧部材が外れて、磁気テープと接触する事態を確実に防止することができる。
【００１９】
さらに、本発明に係る情報媒体によれば、押圧部材をシート体に取り付けたことにより、情報媒体を製造する際に、シート体を所定の位置に位置決めして配設するだけで、押圧部材を所定の位置に位置決めした状態で配設することができるため、情報媒体の製造効率を十分に向上させることができる。
【発明を実施するための最良の形態】
【００２０】
以下、本発明に係る情報媒体の最良の形態について、添付図面を参照して説明する。
【００２１】
最初に、情報媒体１の構成について、図面を参照して説明する。
【００２２】
図１〜３に示す情報媒体１は、例えば、電子計算機に記録されたデータをバックアップするためのストレージデバイスとして用いられる２リールタイプの情報媒体であって、磁気テープＴ（図２，１１参照）が巻回されたテープリール２，２、ケース本体３、リールブレーキ４、シート５，５、ばね部材６，６、スライド部７およびリッド８を備えて構成されている。この場合、この情報媒体１では、一例として、テープ幅が８ｍｍの磁気テープＴが採用されており、この磁気テープＴに対応するように、情報媒体１を構成する各構成要素のサイズや形状が規定されている。
【００２３】
テープリール２は、図７に示すように、リール本体１１およびハブ１２を備えて構成されている。リール本体１１は、筒状に形成されて周囲に磁気テープＴを巻回可能に構成されている。また、図１に示すように、リール本体１１の外周部には、磁気テープＴの端部に取り付けられている図外のリーダーテープをリール本体１１に固定するためのクランプ１１ｂを嵌め込み可能なクランプ収納部１１ａが形成されている。ハブ１２は、図７に示すように、円筒状に形成されると共に、リール本体１１から下端部１２ａおよび上端部１２ｂが突出するようにしてリール本体１１の中心部に配設されている。また、図２，３に示すように、ハブ１２の上端部１２ｂには、リールブレーキ４の突起部４ａが係合することによってテープリール２の回転が規制される歯部１２ｃが形成されている。また、図２，１１に示すように、ハブ１２の内周面には、ドライブ装置（記録再生装置）の駆動軸１０１（図１１参照）と係合可能な例えば６つの係合用凸部１２ｄが形成されている。この場合、テープリール２は、同図に示すように、ハブ１２の下端部１２ａおよび上端部１２ｂが後述するケース本体３における下ケース２１の底板３１および上ケース２２の天板４１（天板４１に取り付けられたカバー４３）によって支持された状態でケース本体３の内部に回転可能に収容されている。なお、底板３１および天板４１が本発明における主板に相当する。
【００２４】
ケース本体３は、図１，３に示すように、互いに嵌合可能な下ケース２１および上ケース２２を備えて構成され、両ケース２１，２２の嵌合状態において形成される内部空間にテープリール２，２を回転可能に収容する。下ケース２１は、図４に示すように、底板３１、および底板３１の縁部に立設された側壁３２ａ〜３２ｆを備えて、全体として、浅皿状に形成されている。
【００２５】
底板３１は、前面側（同図における下側）の中央部に切り欠き部３１ａが形成されて構成されている。この場合、この切り欠き部３１ａおよび後述する上ケース２２の開口部２２ａによって磁気テープＴを引き出すための引き出し口３ａ（図３参照）が構成される。また、底板３１には、テープリール２におけるハブ１２の下端部１２ａをその縁部で支持すると共に、ドライブ装置の駆動軸１０１を挿通させるための円形の挿通孔３１ｂ，３１ｂが形成されている。
【００２６】
また、底板３１の切り欠き部３１ａ側には、スライド部７をスライド不可状態にロックするためのアーム状のロック部３１ｃ，３１ｃが形成されている。この場合、ロック部３１ｃは、図１に示すロックスプリング９ａによってその先端部がスライド部７側に向けて押圧される。
【００２７】
上ケース２２は、図５に示すように、天板４１、および天板４１の縁部に立設された側壁４２ａ〜４２ｅを備えて、前面側（同図では下側）に開口部２２ａを有する浅皿状に形成されている。天板４１は、全体として矩形に形成されている。また、天板４１の中央部には、長円状の開口部４１ａが形成され、この開口部４１ａには、テープリール２におけるハブ１２の上端部１２ｂを支持すると共に、磁気テープＴをケース本体３の外部から視認させるための窓として機能する透明な（またはほぼ透明な）カバー４３が取り付けられている。この場合、カバー４３には、同図に示すように、ばね部材６を固定するための突起部４３ａ、およびばね部材６を位置決めするリブ４３ｂが形成されている。
【００２８】
リールブレーキ４は、図２，３に示すように、テープリール２，２に対して接離する方向に沿ってスライド可能にケース本体３の内部に配設されると共に、図１に示すブレーキスプリング９ｃによってテープリール２，２に近接する方向に付勢されている。また、リールブレーキ４は、リッド８の回動に伴ってスライドさせられることにより、テープリール２，２の回転規制、および回転規制の解除を行う。シート５，５は、図１に示すように、テープリール２におけるハブ１２を挿通可能な挿通孔５ａが形成されて構成され、図１１に示すように、テープリール２におけるリール本体１１の下端部１１ｅと下ケース２１の底板３１との間、およびリール本体１１の上端部１１ｃと上ケース２２の天板４１との間にそれぞれ配設されている。この場合、シート５は、テープリール２を円滑に回転動作させると共に、磁気テープＴの幅方向への移動を規制する機能を有している。
【００２９】
ばね部材６は、本発明における押圧部材に相当し、図５に示すように、本体部６１、および本体部６１と一体に形成された固定部６２を備えて構成されている。本体部６１は、図６〜８に示すように、テープリール２におけるハブ１２の上端部１２ｂを挿通可能な挿通孔６１ａが中心部に形成された平面視略円形（つまり略環状）の板状体を波状に湾曲させた形状（波座金（ウェイブワッシャ）状）に形成されて、厚み方向に弾性変形可能に構成されている。固定部６２は、板状に構成され、図８に示すように、その先端部には、固定用孔６２ａが形成されている。この場合、固定用孔６２ａの縁部には、固定部６２をプッシュナットとして機能させる複数の爪が形成されている。
【００３０】
この場合、ばね部材６は、図５，９，１０に示すように、上ケース２２におけるカバー４３に形成された突起部４３ａを固定部６２の固定用孔６２ａに圧入させることによってカバー４３に固定されており、情報媒体１が組み立てられた状態において、図１１に示すように、テープリール２におけるリール本体１１の上端部１１ｃ側（本発明における一方の端部側）に配設されたシート５と上ケース２２の天板４１（カバー４３）との間の隙間に配設される。また、ばね部材６は、図７に示すように、挿通孔６１ａにハブ１２の上端部１２ｂを挿入させた状態でシート５を介してリール本体１１における上端部１１ｃの端面１１ｄを下端部１１ｅ（つまり下ケース２１の底板３１）に向けて押圧する。この場合、ばね部材６は、同図に示すように、リール本体１１の端面１１ｄにおける３箇所の部位（例えば、同図に示すＰ１〜Ｐ３の部位）をシート５を介して押圧するように下向きに突出した３つの凸部を有するように湾曲した状態に形成されている。
【００３１】
スライド部７は、図３に示すように、下ケース２１の外側にスライド可能に取り付けられている。また、スライド部７は、図１に示すスライダースプリング９ｂによって下ケース２１の切り欠き部３１ａ側に付勢されている。リッド８は、図３に示すように、ケース本体３（上ケース２２）の前面側（同図における左側）に回動可能に取り付けられて、ドライブ装置によって回動させられることにより、上ケース２２の開口部２２ａ（ケース本体３の引き出し口３ａ）を開閉する。また、リッド８は、図１に示すリッドスプリング９ｄによって開口部２２ａを閉塞する向きに付勢されている。
【００３２】
次に、情報媒体１の製造方法の一例について、図面を参照して説明する。
【００３３】
まず、図１に示すように、ケース本体３の下ケース２１にスライダースプリング９ｂを取り付ける。次いで、スライダースプリング９ｂの一端部をスライド部７に係合させて、下ケース２１の外側にスライド部７を取り付ける。続いて、同図に示すように、下ケース２１における底板３１の内側にシート５を載置して、その上に磁気テープＴを巻回したテープリール２，２（同図では磁気テープＴの図示を省略している）を載置する。次いで、テープリール２，２の上に更にシート５を載置する。
【００３４】
次に、図５に示すように、上ケース２２の天板４１に予め取り付けられているカバー４３にばね部材６を固定する。具体的には、カバー４３における一対のリブ４３ｂ，４３ｂの間にばね部材６の固定部６２を嵌め込むと共に、固定部６２の固定用孔６２ａにカバー４３の突起部４３ａを圧入する。この際に、図９，１０に示すように、固定用孔６２ａの縁部に形成されている爪が変形して、固定部６２と突起部４３ａとが確実に固定されると共に、リブ４３ｂによってばね部材６が確実に位置決めされる。
【００３５】
次いで、カバー４３にロックスプリング９ａを取り付ける。続いて、上ケース２２にブレーキスプリング９ｃをはめ込む。次いで、ブレーキスプリング９ｃの一端部をリールブレーキ４に係合させて、リールブレーキ４を上ケース２２にセットする。続いて、リッドスプリング９ｄを取り付けたリッド８を上ケース２２の前面側に組み付ける。次いで、下ケース２１における各側壁３２ａ〜３２ｅの先端面と、上ケース２２における各側壁４２ａ〜４２ｅの先端面とがそれぞれ対向するようにして、図３に示すように、下ケース２１と上ケース２２とを嵌合させる。この際に、ばね部材６における本体部６１の挿通孔６１ａにテープリール２におけるハブ１２の上端部１２ｂが挿通されて、ばね部材６がシート５と上ケース２２の天板４１（カバー４３）との間に配設される。次いで、両ケース２１，２２をねじ止めする。以上により、情報媒体１が完成する。この場合、上記したように、上ケース２２の天板４１（カバー４３）にばね部材６を予め固定しているため、下ケース２１と上ケース２２とを嵌合させるだけで、正確かつ容易にばね部材６が配設される。
【００３６】
次に、情報媒体１を用いたデータの記録再生方法について、図面を参照して説明する。
【００３７】
この情報媒体１が図外のドライブ装置から取り出されている状態、つまり非使用時においては、図３に示すように、リールブレーキ４が、ブレーキスプリング９ｃの付勢力によってテープリール２，２に近接している。このため、リールブレーキ４の突起部４ａ，４ａがテープリール２，２の歯部１２ｃにそれぞれ係合して、テープリール２，２の回転が規制されている。また、同図に示すように、リッド８が、リッドスプリング９ｄによって付勢されて、ケース本体３における上ケース２２の開口部２２ａを閉塞している。また、スライド部７が、下ケース２１における底板３１の切り欠き部３１ａ側に位置して、底板３１の挿通孔３１ｂ，２１ｂおよび切り欠き部３１ａを閉塞している。
【００３８】
一方、情報媒体１がドライブ装置の挿入口に挿入されたときには、ドライブ装置が情報媒体１を内部に引き込む。この際に、下ケース２１のロック部３１ｃ，３１ｃの先端部が上方向に押し上げられて、スライド部７のスライド不可状態が解除される。次いで、スライド部７が、下ケース２１の側壁３２ａ（図３参照）側にスライドさせられて、下ケース２１の挿通孔３１ｂおよび切り欠き部３１ａが開口される。続いて、ドライブ装置が駆動軸１０１の先端部に向けて情報媒体１を移動させる。この際に、図１１に示すように、駆動軸１０１が挿通孔３１ｂを通ってテープリール２におけるハブ１２の中心部に挿入されて、ハブ１２の内周面に形成されている係合用凸部１２ｄと駆動軸１０１とが係合する。この場合、この情報媒体１では、上記したように、テープ幅が８ｍｍの磁気テープＴが採用されており、テープ幅が４ｍｍの磁気テープＴを採用した従来の情報媒体と比較して、テープリール２におけるリール本体１１やハブ１２が長く（厚く）形成されている。このため、同図に示すように、駆動軸１０１の先端部がハブ１２の下端部１２ａからハブ１２の全長の１／３程度の位置まで到達した状態で駆動軸１０１の挿入（情報媒体１の移動）が停止される。
【００３９】
次に、ドライブ装置が、リッドスプリング９ｄの付勢力に抗してリッド８を回動させることにより、図１１に示すように、上ケース２２の開口部２２ａが開口される。また、リッド８の回動に伴ってリールブレーキ４が開口部２２ａ側に移動させられることにより、テープリール２，２の歯部１２ｃとリールブレーキ４の突起部４ａ，４ａとの係合が解除されて、テープリール２，２の回転の規制が解除される。次いで、図１２に示すように、ドライブ装置がガイドローラ１０３およびガイドピン１０４を移動させることにより、回転ヘッド１０２の全外周面のうちの１／２程度の部分に磁気テープＴを接触させる。次いで、ドライブ装置は、回転ヘッド１０２を回転させると共に駆動軸１０１を回転させて、データの読み出しや書き込みを開始する。この際に、テープリール２，２が回転させられて、磁気テープＴが一方のテープリール２から同図に示す経路を通って他方のテープリール２に巻き取られる。
【００４０】
この場合、ばね部材６によってテープリール２のリール本体１１における上端部１１ｃの端面１１ｄが下ケース２１の底板３１に向けて押圧されているため、図１１に示すように、下端部１１ｅの端面１１ｆがシート５を介して下ケース２１の底板３１に押し付けられている。このため、回転ヘッド１０２に磁気テープＴを接触させるために磁気テープＴに対して比較的大きなテンションが加えられてそのテンションに起因してリール本体１１（テープリール２）に対して大きなモーメントが作用したとしても、テープリール２の傾きが確実に防止されている。このため、テープリール２が傾いた状態で回転することによってテープが蛇行したり偏って走行したりして、データの記録再生に支障を来す事態が確実に防止される。また、ばね部材６がケース本体３の天板４１に固定されているため、組立て時の搬送の振動等によってハブ１２の上端部１２ｂからばね部材６が外れて、磁気テープＴと接触する事態が確実に防止される。
【００４１】
次に、データの読み出しや書き込みが終了した際には、ドライブ装置が、駆動軸１０１の先端部から情報媒体１を離間させる。続いて、ドライブ装置がリッド８を回動させることにより、リッド８によって上ケース２２の開口部２２ａが閉塞される。また、リッド８の回動に伴い、リールブレーキ４がブレーキスプリング９ｃの付勢力によってテープリール２側に移動させられて、テープリール２，２の歯部１２ｃとリールブレーキ４の突起部４ａ，４ａとが係合して、テープリール２，２の回転が規制される。次いで、ドライブ装置が、挿入口の外側に向けて情報媒体１を押し出す。この際に、図３に示すように、スライド部７が、下ケース２１における底板３１の切り欠き部３１ａ側にスライドさせられて、切り欠き部３１ａおよび挿通孔３１ｂ，２１ｂが閉塞される。これにより、情報媒体１がドライブ装置の挿入口から取り出し可能な状態となる。
【００４２】
このように、この情報媒体１によれば、シート５とケース本体３における上ケース２２の天板４１との間にばね部材６を配設したことにより、ばね部材６によってテープリール２のリール本体１１における上端部１１ｃの端面１１ｄを下ケース２１の底板３１に向けて押圧することができる。このため、下端部１１ｅの端面１１ｆをシート５を介して下ケース２１の底板３１に押し付けることができる結果、ドライブ装置の回転ヘッド１０２に磁気テープＴを接触させるために磁気テープＴに対して比較的大きなテンションが加えられてそのテンションに起因してテープリール２に対して大きなモーメントが作用したとしても、テープリール２が傾く事態を確実に防止することができる。したがって、この情報媒体１によれば、テープリール２が傾いた状態で回転することによって磁気テープＴが蛇行したり偏って走行したりして、データの記録再生に支障を来したり、磁気テープＴのエッジ（幅方向の端部）がシート５に強く擦りつけられて磁気テープＴがダメージを受ける事態を確実に防止することができる。
【００４３】
さらに、この情報媒体１によれば、リール本体１１の上端部１１ｃにおける３箇所の部位を押圧可能な３つの凸部を有するようにばね部材６を湾曲して形成したことにより、２つ以下または４つ以上の凸部を有するばね部材とは異なり、３つの凸部の全てがシート５を介して端面１１ｄを確実に押圧するため、端面１１ｄを均等に押圧することができる結果、テープリール２が傾く事態を一層確実に防止することができる。
【００４４】
また、この情報媒体１によれば、テープリール２を駆動する駆動軸１０１の挿入側とは逆側に位置する主板、つまり上ケース２２の天板４１とシート５との間の隙間にばね部材６を配設したことにより、リール本体１１を下端部１１ｅ側、つまり下ケース２１の底板３１側に押し付けることができるため、底板３１とシート５との間の隙間にばね部材６を配設してリール本体１１を天板４１側に押し付ける構成と比較して、ハブ１２と駆動軸１０１とが係合する部位の長さを長くすることができる。このため、リール本体１１に作用するモーメントを少なく抑えることができる。
【００４５】
また、この情報媒体１によれば、天板４１に取り付けられているカバー４３にばね部材６を固定したことにより、情報媒体１を製造する際に、下ケース２１と上ケース２２とを嵌合させてケース本体３を組み立てるだけで、正確かつ容易にばね部材６を配設することができるため、情報媒体１の製造効率を十分に向上させることができる。また、ばね部材６をカバー４３に固定したことで、組立て時の搬送の振動等によってハブ１２の上端部１２ｂからばね部材６が外れて、磁気テープＴと接触する事態を確実に防止することができる。
【００４６】
なお、本発明は、上記の構成に限定されない。別個独立した２つのばね部材６を用いた例について上記したが、２つのばね部材６に代えて、例えば図１３に示す単一のばね部材３０６を採用することもできる。この場合、ばね部材３０６は、中心部に挿通孔３６１ａが形成されて、上記したばね部材６の本体部６１と同様の形状の一対の環状体３６１を固定部３６２で連結して一体に構成されている。このばね部材３０６によれば、一回の作業でばね部材３０６を固定することができるため、上記した一対のばね部材６を別々に固定する構成と比較して、組立て工程を簡略化できる分、情報媒体１の製造効率を向上させることができる。この場合、同図に示すように、固定用孔３６２ａに加えて位置決め用孔３６２ｂを形成すると共に、位置決め用の突起部をカバー４３に形成して、この位置決め用の突起部を位置決め用孔３６２ｂに挿入することでばね部材３０６を位置決めする構成を採用することもできる。また、図１４に示すように、上記したばね部材６についても、固定用孔６２ａに加えて位置決め用孔６２ｂを固定部６２に形成して、カバー４３に形成した位置決め用の突起部を位置決め用孔６２ｂに挿入することで位置決めする構成を採用することもできる。
【００４７】
また、カバー４３の突起部４３ａを固定用孔６２ａに圧入させることによってばね部材６をカバー４３（天板４１）に固定する例について上記したが、図１５，１６に示すように、固定用孔６２ａに突起部４３ａを圧入させた後に突起部４３ａの先端部を溶融させることで固定部６２をかしめる固定方法を採用することもできる。また、図１７に示すように、爪を有していない固定用孔６２ｃを固定部６２に形成して、その固定用孔６２ｃに挿通させた突起部４３ａの先端部を溶融させて固定部６２をかしめるだけで固定する固定方法を採用することもできる。また、これらの固定方法を組み合わせて用いることもできる。
【００４８】
また、ケース本体３における上ケース２２の天板４１（カバー４３）にばね部材６を固定することにより、テープリール２におけるリール本体１１の上端部１１ｃ側に配設されたシート５と天板４１との間の隙間にばね部材６を配設した例について上記したが、リール本体１１の下端部１１ｅ側に配設されたシート５とケース本体３における下ケース２１の底板３１との間の隙間にばね部材６を配設することもできる。また、シート５と天板４１との間の隙間、およびシート５と底板３１との間の隙間の双方にばね部材６を配設する構成を採用することもできる。また、情報媒体１を製造する際に、ばね部材６を天板４１（カバー４３）等に固定することなく、上記した各配設位置にばね部材６を直接配設する方法を採用することもできる。
【００４９】
また、図１８に示すように、上記したばね部材６の本体部６１と同様の形状（環状体）のばね部材４６１をシート５に予め固定した（取り付けた）構成を採用することもできる。この場合、ばね部材４６１をシート５に固定する固定方法としては、接着剤を用いて固定する方法や、両面テープを用いて固定する方法等を採用することができる。このシート５を備えた情報媒体を組み立てる際には、シート５を所定の位置に位置決めして配設するだけで、ばね部材４６１も所定の位置に位置決めされた状態で配設されるため、情報媒体１の製造効率を十分に向上させることができる。
【００５０】
また、電子計算機に記録されたデータのバックアップに用いられる情報媒体１を例に挙げて説明したが、画像データの記録に用いられる情報媒体や、音声データの記録に用いられる情報媒体等の各種の情報媒体に本発明を適用することができる。また、２つのテープリール２を備えた情報媒体１を例に挙げて説明したが、単一のテープリールを備えた情報媒体に本発明を適用することもできる。
【図面の簡単な説明】
【００５１】
【図１】情報媒体１の分解斜視図である。
【図２】情報媒体１の平面図である。
【図３】情報媒体１の側面図である。
【図４】下ケース２１の内面側から見た平面図である。
【図５】上ケース２２の内面側から見た平面図である。
【図６】ばね部材６の側面図である。
【図７】配設状態におけるテープリール２、シート５およびばね部材６の側面図である。
【図８】配設状態におけるテープリール２、シート５およびばね部材６の平面図である。
【図９】カバー４３に固定されたばね部材６の平面図である。
【図１０】カバー４３に固定されたばね部材６の断面図である。
【図１１】情報媒体１の断面図である。
【図１２】情報媒体１における磁気テープを回転ヘッド１０２に接触させた状態を説明するための説明図である。
【図１３】ばね部材３０６の平面図である。
【図１４】固定用孔６２ｂを形成したばね部材６の平面図である。
【図１５】他の固定方法でカバー４３に固定されたばね部材６の平面図である。
【図１６】他の固定方法でカバー４３に固定されたばね部材６の断面図である。
【図１７】さらに他の固定方法でカバー４３に固定されたばね部材６の断面図である。
【図１８】ばね部材４６１が固定されたシート５の斜視図である。
【図１９】従来の情報媒体の断面図である。
【図２０】従来の情報媒体における磁気テープＴを回転ヘッド１０２に接触させた状態を説明するための説明図である。
【図２１】磁気テープの幅を拡大した従来の情報媒体の断面図である。
【符号の説明】
【００５２】
１  情報媒体
２  テープリール
３  ケース本体
５  シート
５ａ  挿通孔
６，３０６，４６１  ばね部材
１１  リール本体
１１ｃ  上端部
１１ｅ  下端部
１２  ハブ
１２ａ  下端部
１２ｂ  上端部
３１  底板
４１  天板
６１ａ，３６１ａ  挿通孔
４３  カバー
３６１  環状体
Ｔ  磁気テープ
【図１】
2008041221.tif 000003
【図２】
2008041221.tif 000004
【図３】
2008041221.tif 000005
【図４】
2008041221.tif 000006
【図５】
2008041221.tif 000007
【図６】
2008041221.tif 000008
【図７】
2008041221.tif 000009
【図８】
2008041221.tif 000010
【図９】
2008041221.tif 000011
【図１０】
2008041221.tif 000012
【図１１】
2008041221.tif 000013
【図１２】
2008041221.tif 000014
【図１３】
2008041221.tif 000015
【図１４】
2008041221.tif 000016
【図１５】
2008041221.tif 000017
【図１６】
2008041221.tif 000018
【図１７】
2008041221.tif 000019
【図１８】
2008041221.tif 000020
【図１９】
2008041221.tif 000021
【図２０】
2008041221.tif 000022
【図２１】
2008041221.tif 000023